(57)【要約】【課題】車体、又は、車庫の壁等に損傷を発生させず、且つ、容易に車輌を駐車スペースへ駐車するための車輌誘導装置の提供すること。【解決手段】駐車スペースの長さ方向に沿い、駐車スペース内に備えられる一対の車輌誘導台からなる車輌誘導装置であって、車輌誘導台は、基部と複数の床ローラーとから構成してあり、基部の上面には、長手方向に延びる溝部と支持面とが短手方向に交互に設けてあり、一対の車輌誘導台のうち一方は、外側端部に立設する側部を有し、側部の内側にガイドローラーを備え、床ローラーとガイドローラーは、車輌誘導台の長手方向に沿って延びる軸部材と軸部材の外周を回転自在なパイプ材とから構成され、床ローラーは、軸部材が溝部に固定されており、ガイドローラーは、軸部材が側部に固定され、床ローラーよりも上部、かつ、タイヤのホイールの外周よりも下部に位置する。【選択図】図１
2019015082.tif 000002
【特許請求の範囲】
【請求項１】
駐車スペースの長さ方向に沿い、駐車スペース内に備えられる一対の車輌誘導台からなる車輌誘導装置であって、
車輌誘導台は、基部と複数の床ローラーとから構成してあり、基部の上面には、長手方向に延びる溝部と支持面とが短手方向に交互に設けてあり、
一対の車輌誘導台のうち一方は、外側端部に立設する側部を有し、側部の内側にガイドローラーを備え、
床ローラーとガイドローラーは、車輌誘導台の長手方向に沿って延びる軸部材と軸部材の外周を回転自在なパイプ材とから構成され、
床ローラーは、軸部材が溝部に固定されており、
ガイドローラーは、軸部材が側部に固定され、床ローラーよりも上部、かつ、タイヤのホイールの外周よりも下部に位置することを特徴とする車輌誘導装置。
【発明の詳細な説明】
【技術分野】
【０００１】
本発明は、車輌を容易に駐車するための車輌誘導装置に関する。
【背景技術】
【０００２】
駐車場等の所定の位置に車輌を容易に、且つ、安全に駐車することは、狭いスペースに駐車する場合、非常に困難であり、従来から後記特許文献に公開されている装置などで問題の解消が試みられてきた。
【０００３】
特許文献１では、一旦車輌を駐車台に載置した後、駐車台をモーターで駆動し、所定の駐車スペースに車輌を移動する横移送装置が公開されている。
【先行技術文献】
【特許文献】
【０００４】
【特許文献１】特開平５−１１３０４７号公報
【発明の概要】
【発明が解決しようとする課題】
【０００５】
しかしながら、特許文献１の構成では、稼働するためのモーターを含む装置の駆動機構が複雑で、且つ、装置が大型化する問題点がある。また、駐車台の上に正確に車輌を載置しなければならないため、手間がかかる。
【０００６】
本発明は上記実情を基に開発されたもので、車輌を前進、又は後進で駐車スペースに移動する際に、車体又は車庫の壁等に損傷を発生させず、且つ、容易に車輌を駐車スペースへ正確に駐車するための車輌誘導装置の提供を目的としている。
【課題を解決するための手段】
【０００７】
本発明の車輌誘導装置は、駐車スペースの長さ方向に沿い、駐車スペース内に備えられる一対の車輌誘導台からなる車輌誘導装置であって、車輌誘導台は、基部と複数の床ローラーとから構成してあり、基部の上面には、長手方向に延びる溝部と支持面とが短手方向に交互に設けてあり、一対の車輌誘導台のうち一方は、外側端部に立設する側部を有し、側部の内側にガイドローラーを備え、床ローラーとガイドローラーは、車輌誘導台の長手方向に沿って延びる軸部材と軸部材の外周を回転自在なパイプ材とから構成され、床ローラーは、軸部材が溝部に固定されており、ガイドローラーは、軸部材が側部に固定され、床ローラーよりも上部、かつ、タイヤのホイールの外周よりも下部に位置することを特徴とする。
【発明の効果】
【０００８】
本発明によれば、複数の床ローラーと、ガイドローラーを備えるため、タイヤをガイドローラーに当接させて車輌を移動させると、ガイドローラーがタイヤを内側へ導くとともに、床ローラーがタイヤを摺動させることにより、車輌の進行方向が変更、修正され、車庫の壁等や、車輌自体を損傷させることなく、容易に所定の駐車スペースに車輌を駐車できる。簡易な構成であるが機能性を十分に備えるものであり、従来の車輌誘導装置よりも安価に提供できる。
また、車輌誘導台の基部は、床ローラーを取り付けた溝部と支持面とが短手方向に交互に設けてあり、支持面が転倒防止の役割を果たすため、人が車輌へ乗り降りする際の安全性に優れる。
【図面の簡単な説明】
【０００９】
【図１】車輌誘導装置の平面図である。
【図２】（ａ）は駐車スペースを省略して示す図１のＡ−Ａ線断面図であり、（ｂ）は車止めの断面図である。
【図３】（ａ）は軸部材とパイプ材の構成を示す要部の側面図、（ｂ）はＢ−Ｂ線断面図である。
【図４】車輌誘導装置の斜視図である。
【発明を実施するための形態】
【００１０】
以下、この発明の実施の形態を図面に基づいて説明する。本発明の車輌誘導装置は、一対の車輌誘導台１，２からなり、駐車スペースＧ内に備えられるものである。
【００１１】
車輌誘導台１，２は、図１、図２及び図４に示すように、車輌のタイヤの幅に合わせて間隔をあけ、駐車スペースＧの長手方向に沿って略平行に配置してある。車輌誘導台１，２は基部３と複数の床ローラー４とから構成してある。
【００１２】
基部３は上面に、車輌誘導台１，２の長手方向に延びる溝部３２と平坦な支持面３１とが、車輌誘導台１，２の短手方向に交互に設けてあり、溝部３２には床ローラー４が取り付けてある。基部３は、材質は問わないが、例えばアルミ板を押出製法によって一体成形したものである。
【００１３】
一対の車輌誘導台１，２のうち一方の車輌誘導台２は、基部３の外側端部から立設する側部３３を有する。そのため、一方の車輌誘導台２の基部３は正面視すると逆Ｌ字形状である。側部３３の内側には、ガイドローラー５が取り付けてある。ガイドローラー５は、内側端部が側部３３の内側面よりも内側となるよう取り付けてある。また、一方の車輌誘導台２は、手前側端部に運転者から認識しやすい高さのポール６を設けてあり、奥側端部には車輪止め９を設けてある。ポール６は、例えば車輌が近づいた際に自動的に点灯、点滅等するよう、センサーを備えるものであってもよい。
【００１４】
床ローラー４とガイドローラー５は、車輌誘導台１，２の長手方向に沿って延びる軸部材７とパイプ材８とから構成される。軸部材７は、材質は問わないが、例えばアルミ製のパイプである。パイプ材８は、材質は問わないが、例えば強化プラスチック製のパイプである。パイプ材８の内周に軸部材７が挿通してあり、軸部材７が軸受１１に固定されるため、パイプ材８は軸部材７の外周を回転自在となる。
【００１５】
床ローラー４は、軸部材７が基部３の溝部３２に固定してある。詳しくは、図３に示すように、溝部３２には軸受１１が取り付けてある。パイプ材８に挿通した軸部材７は、軸受１１を挟んで前後にワッシャー１０，１０が溶接してあり、さらに、軸部材７は軸受１１に溶接して固定してある。パイプ材８は固定されていないため、軸部材７の外周を回転自在となる。なお、溶接箇所は部分的に溶接されていれば良いため、生産性が良い。
【００１６】
ガイドローラー５は、軸部材７が側部３３に固定してあるが、軸部材７とパイプ材８の構成は床ローラー４と同じである。ガイドローラー５は、床ローラー４よりも上部、かつ、タイヤのホイールの外周よりも下部に位置する。
【００１７】
車止め９は、図２（ｂ）に示すように、前方から後方へ向けて高くなる傾斜部９ａが形成してあり、内部は複数の補強材９ｂによって構成されている。
【００１８】
このように構成した車輌誘導装置は、複数の床ローラー４と、ガイドローラー５を備えるため、タイヤをガイドローラー５に当接させて車輌を移動させると、ガイドローラー５がタイヤを内側へ導くとともに、複数の床ローラー４がタイヤを摺動させることにより、車輌の進行方向が変更、修正され、車庫の壁等や、車輌自体を損傷させることなく、容易に所定の駐車スペースＧに車輌を駐車できる。
また、車輌誘導台１，２の基部３は、床ローラー４を取り付けた溝部３２と平坦な支持面３１とが短手方向に交互に設けてあり、支持面３１が転倒防止の役割を果たすため、人が車輌へ乗り降りする際の安全性に優れる。
床ローラー４とガイドローラー５は、軸部材７とパイプ材８とから構成され、パイプ材８の内周に軸部材７が挿通してあり、軸部材７が軸受１１に固定されるため、床ローラー４とガイドローラー５の強度に優れる。
ガイドローラー５は、床ローラー４よりも上部、かつ、タイヤのホイールの外周よりも下部に位置する。そのため、ガイドローラー５はタイヤにのみ接触し、タイヤのホイールに接触することはないので、ホイールを傷つけることがない。また、ガイドローラー５は側部３３の内側に取り付けてあり、ガイドローラー５の内側端部が側部３３の内側面よりも内側となるため、タイヤが側部３３に接触しない。
車輌誘導台１，２の基部３は、アルミ板を押出成形によって一体的に加工したものとすれば、車輌誘導装置の生産性が良く安価に提供することができる。
本発明の車輌誘導装置は、上記のような非常に単純な構造であるにも関わらず、その構成から安全性と機能性に優れるものであり、強度も十分に備えることから、通常の使用において故障することはなく、安価に提供できる。
【００１９】
なお、本発明の車輌誘導装置は、上記実施形態に限定されるものではなく、その趣旨を逸脱しない範囲において適宜変更可能である。例えば、床ローラーと支持面の幅や個数は、任意に変更してもよい。また、本発明の車輌誘導装置は、車庫や、立体駐車場等においても使用可能である。
【符号の説明】
【００２０】
１    車輌誘導台
２    車輌誘導台
３    基部
４    床ローラー
５    ガイドローラー
６    ポール
７    軸部材
８    パイプ材
９    車輪止め
９ａ  傾斜部
９ｂ  補強材
１０    ワッシャー
１１    軸受
３１    支持面
３２    溝部
３３    側部
Ｇ      駐車スペース
【図１】
2019015082.tif 000003
【図２】
2019015082.tif 000004
【図３】
2019015082.tif 000005
【図４】
2019015082.tif 000006
【手続補正書】
【提出日】平成29年7月10日(2017.7.10)
【手続補正１】
【補正対象書類名】図面
【補正対象項目名】図２
【補正方法】変更
【補正の内容】
【図２】
2019015082.tif 000007